(57)【要約】【課題】  構成部材の経年使用による変形によっても確実かつ不具合なく検出する検出手段を備えた遊技機を提供することにある。【解決手段】  外枠１に対して開閉可能に支持され遊技者が対面して遊技を行う遊技面９を形成したパチンコ機本体４を備えたパチンコ機において、パチンコ機本体４を外枠１に対して閉塞した状態でパチンコ機本体４とパチンコ機本体４の開閉支軸６ａ側端面４ａが正対する外枠１（左部枠板１ｄ）の内面との間にパチンコ機本体４の枠板１ｄに対する開閉状態を検出するリミットスイッチ３０を配設した。リミットスイッチ３０は支軸ピン４５によって揺動可能に支持されており、左部枠板１ｄと当接して揺動しながらＯＮ／ＯＦＦされる。【選択図】      図３
2011025077.tif 000002
【特許請求の範囲】
【請求項１】
少なくとも支持枠体と、同支持枠体前面を覆う遊技者が対面して遊技を行う遊技面が形成された遊技台とを備え、同支持枠体及び遊技台を含め複数の構成部材を開閉可能あるいは脱着可能に組み合わせ同複数の構成部材間の開閉あるいは着脱に伴いＯＮ／ＯＦＦされる検出手段を設けた遊技機において、
前記検出手段を前記構成部材間に揺動可能に支持するとともに、同検出手段が前記各構成部材間の接近・離間に伴い揺動してＯＮ／ＯＦＦされるようにしたことを特徴とする遊技機。
【発明の詳細な説明】
【技術分野】
【０００１】
本発明は遊技機に関し、特に隣接する構成部材同士間の開閉あるいは脱着状態を検出するための検出手段を備えた遊技機に関するものである。
【背景技術】
【０００２】
遊技機の一種である例えばパチンコ機においては遊技機本体としてのパチンコ機本体と前面枠としての扉枠の間に、あるいはパチンコ機本体と支持枠体としての外枠との間等の開閉する箇所にセンサを配設する場合がある。扉枠やパチンコ機本体の開放の有無は管理室において報知されその時間が記録される。このようにセンサは機器の保守・点検のためにホール側で開放した記録を残すとともに、遊技者側の不正を防止する観点から行われているものである。その他機種によってはパチンコ機本体に開閉盤としてのセット盤が開閉可能に装着され、このセット盤の基盤ボックス内に制御機構が設けられているものがある。この場合にはパチンコ機本体とセット盤との間にセンサが配設される。
センサには種々の方式があるが、もっとも多用されているのは安価なリミットスイッチである。リミットスイッチは入力レバーの入切で開放状態を検出するものである。例えばパチンコ機本体側にリミットスイッチを固着しパチンコ機本体がはめ込まれる外枠側に入力レバーと当接する当接プレートを配設し、外枠に対してパチンコ機本体を閉塞（装着）した状態で入力レバーが押動され、開放状態で入力レバーへの押圧が解消されることで開閉状態を検出する。
【発明の概要】
【発明が解決しようとする課題】
【０００３】
ところで、外枠は経年使用による変形を起こしやすく、リミットスイッチの入力レバーとこれと当接する当接プレートとの間隔に誤差が生じてくる場合があった。この間隔が開けばパチンコ機本体が閉塞されているにもかかわらず開放されていると誤って検出してしまうこととなり、一方間隔が狭まればリミットスイッチに過負荷がかかり故障の原因となってしまう。
また、一般にリミットスイッチの入力レバーは検出する対象側、上記で言えば当接プレート側に面することとなる。すると、パチンコ機本体を開放したり、パチンコ機本体のみを運搬する際に、側面に露出する入力レバーに誤って接触してこれを曲げてしまったり、誤って強く押動してしまい過負荷をかけすぎてリミットスイッチ自体に不具合が生じてしまうおそれがあった。
更に、従来のパチンコ機では扉枠９１とパチンコ機本体９２と外枠９３は図２２に示すような重複した配置関係とされている。このとき、扉枠９１及びパチンコ機本体９２の開放を検出するため扉枠９１あるいは外枠９３のいずれか一方（図２２では扉枠９１側）にリミットスイッチ９５を配設し、パチンコ機本体９２の通過孔９６を介して扉枠９１あるいは外枠９３のいずれか他方を検出するような構造とする技術が開発されている。
このように構成すると、扉枠９１のみを開放してもパチンコ機本体９２を開放してもこの１つのリミットスイッチ９５のみでその開閉状態を検出することが可能となる。すなわち、リミットスイッチ９５は１つで足る。しかし、実際には扉枠９１では配設スペースが限定されるため、機種によってはリミットスイッチ９５を配設しにくいものがあった。また外枠９３はリミットスイッチ９５を配設すると特にその運搬工程においてリミットスイッチ９５をむき出しにしたままで運搬しなくてはならず取り扱いを慎重にしなければならず面倒であるという不具合が生じていた。そのため、パチンコ機本体９２にリミットスイッチ９５を配設して行うことができる技術が求められていた。
本発明は、これら従来の技術に存在する種々の問題点に着目してなされたものである。その第１の目的とするところは、構成部材の経年使用による変形によっても確実かつ不具合なく検出する検出手段を備えた遊技機を提供するものであり、第２の目的とするところは、リミットスイッチの入力レバーに不用意に接触しない遊技機を提供するものであり、第３の目的とするところは、リミットスイッチを３層に重複配置された構成部材の中央に配置して後方の部材に対して前方側２つの部材の開閉状態を検出できるようにした遊技機を提供するものである。
【課題を解決するための手段】
【０００４】
上記の目的を達成するために、請求項１に記載の発明では、少なくとも支持枠体と、同支持枠体前面を覆う遊技者が対面して遊技を行う遊技面が形成された遊技台とを備え、同支持枠体及び遊技台を含め複数の構成部材を開閉可能あるいは脱着可能に組み合わせ同複数の構成部材間の開閉あるいは着脱に伴いＯＮ／ＯＦＦされる検出手段を設けた遊技機において、前記検出手段を前記構成部材間に揺動可能に支持するとともに、同検出手段が前記各構成部材間の接近・離間に伴い揺動してＯＮ／ＯＦＦされるようにしたしたことをその要旨とする。
このような構成では、検出手段に対して前後あるいは左右から構成部材が接近してくると、検出手段がいずれかの構成部材に押動されＯＮ／ＯＦＦされる。尚、押動動作は直接でもまた他の部材を介して行われても構わない。
【発明の効果】
【０００５】
請求項１に記載された発明では、検出手段は固定されておらず、両構成部材の接近により揺動されるようになっているため、構成部材の開閉状態の検出を構成部材の変形などによる押圧量の変化に影響されずに確実かつ不具合なく行うことができる。
【図面の簡単な説明】
【０００６】
【図１】本発明の実施の形態のパチンコ機の扉枠及びパチンコ機本体を開放した状態の斜視図。
【図２】本実施の形態の背面図。
【図３】本実施の形態１においてパチンコ機本体を開放した状態を説明する部分拡大背面図。
【図４】本実施の形態１のリミットスイッチの装着状態を説明する分解斜視図。
【図５】本実施の形態２においてパチンコ機本体を開放した状態を説明する部分拡大背面図。
【図６】本実施の形態２のリミットスイッチの装着状態を説明する分解斜視図。
【図７】本実施の形態１のリミットスイッチの状態を説明する説明図であって（ａ）はパチンコ機本体開放状態、（ｂ）はリミットスイッチの入力レバーのみを押動した状態（ｃ）はパチンコ機本体閉塞状態。
【図８】実施の形態２のリミットスイッチの状態を説明する説明図であって（ａ）はパチンコ機本体開放状態、（ｂ）はパチンコ機本体閉塞状態。
【図９】本実施の形態３においてパチンコ機本体を開放した状態を説明する部分拡大背面図。
【図１０】本実施の形態３のリミットスイッチの装着状態を説明する分解斜視図。
【図１１】本実施の形態３のリミットスイッチの状態を説明する説明図であって（ａ）はパチンコ機本体開放状態、（ｂ）はリミットスイッチの入力レバーのみを押動した状態（ｃ）はパチンコ機本体閉塞状態。
【図１２】本実施の形態４においてパチンコ機本体を開放した状態を説明する部分拡大背面図。
【図１３】実施の形態４のリミットスイッチの状態を説明する説明図であって（ａ）はパチンコ機本体開放状態、（ｂ）はパチンコ機本体閉塞状態。
【図１４】実施の形態５のパチンコ機の扉枠及びパチンコ機本体を開放した状態の斜視図。
【図１５】本実施の形態５のパチンコ機本体の上梁の部分断面図
【図１６】本実施の形態５のリミットスイッチ周辺の分解斜視図。
【図１７】本実施の形態５において外枠に対してパチンコ機本体及び扉枠を閉塞した状態の部分平面図。
【図１８】本実施の形態５において外枠に対してパチンコ機本体を閉塞したまま扉枠を開放した状態の部分平面図。
【図１９】本実施の形態５において外枠に対してパチンコ機本体及び扉枠を開放した状態の部分平面図。
【図２０】スロットマシンに応用した実施の形態６の斜視図。
【図２１】同じスロットマシンを開放した状態の斜視図。
【図２２】実施の形態５に対応する従来のパチンコ機の扉枠及びパチンコ機本体を開放した状態の斜視図。
【発明を実施するための形態】
【０００７】
以下、本発明をパチンコ機に応用した実施の形態１〜５について図面に基づいて説明する。まず、主として図１及び図２に基づいてパチンコ機の概略を説明し、その後各実施の形態それぞれの固有の構成について説明する。尚、以下の説明で前面側或いは表面側とは遊技者が正対する側をいい、後面側或いは背面側とはその反対側をいうものとする。また図２における説明では裏面側からみた左右方向をそれぞれ左右とする。また、実施の形態５については図２の代わりに図１４の説明となる。
図１に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。外枠１には遊技機本体としてのパチンコ機本体４が装着されている。パチンコ機本体４はヒンジ金具６の回動軸６ａを中心に回動し外枠１に対して開閉可能とされている。パチンコ機本体４の上半身には遊技盤５が装着されている。遊技盤５の前面にはほぼ垂直に配置された遊技面９が形成されている。遊技面９上には内レール１０、外レール１１、入賞口１２及び可変表示装置１３等が所定位置に配置された遊技領域１４が形成されている。尚、釘については図示が省略されている。遊技盤５の周囲は額縁状の扉枠支持フレーム７にて包囲されている。扉枠支持フレーム７はパチンコ機本体４と一体的に形成されている。扉枠支持フレーム７の上梁２０前面には水平方向に３つのランプ８が配設されている。
【０００８】
図２に示すように、遊技盤５の背面側には開閉可能に開閉盤としてのセット盤２２がパチンコ機本体４に対して開閉可能に装着されている。セット盤２２は上下に配設されたヒンジ部２３によってパチンコ機本体４に支持されており、盤面に散点的に配置された開閉ピン２６の引き出し及び押し込みによってパチンコ機本体４に着脱される。セット盤２２の中央付近には可変表示装置１３の制御を行う制御機構としての図柄表示装置ユニット３１が配設されている。同ユニット３１に隣接して賞球の排出等のパチンコ機の電子的制御を行う制御機構としての制御装置ユニット３２が配設されている。同両ユニット３１，３２の上方には賞球タンク３３が配設されている。賞球タンク３３の右方には入出力基盤３４が配設されている。入出力基盤３４の右側方にはセンサとしてのリミットスイッチ３０が配設されている。リミットスイッチ３０については後述する。入出力基盤３４の下方には球払い出し機構Ｐが配設されている。球払い出し機構Ｐの下方にはセーフ球処理機構Ｑが配設されている。セット盤２２の下方には遊技球発射機構Ｒが配設されている。賞球タンク３３、球払い出し機構Ｐ等にてパチンコ機本体４の（背面から見て）右端面４ａが形成されることとなる。右端面４ａの形状はパチンコ機本体４の背面に配設された各種構成部材の形状、配置位置によって一定ではないが、要はこれより側方には他の部材が存せず外枠１にパチンコ機本体４を装着した際に外枠１の左部（背面からでは右部となる）枠板１ｄの内面に面する部分をいう。
【０００９】
図１に示すように、遊技盤５の前面には前面枠としての扉枠１５が配設されている。扉枠１５はヒンジ金具６の回動軸６ａを中心に回動しパチンコ機本体４に対して開閉可能とされている。扉枠１５は閉じられた状態で前記扉枠支持フレーム７に当接する。扉枠１５はほぼ正方形の外形を有し、中央にほぼ正方形の大型の窓穴１６が形成されている。扉枠１５上方の上梁１９には水平方向に３つの透孔２４が形成されている。透孔２４は前記扉枠支持フレーム７のランプ８に対応しており、扉枠１５を閉じた時に各ランプ８が対応する透孔２４内に配置される。上梁１９前面には半透明の装飾パネル２５が配設され、同透孔２４を覆っている。ランプ８の光は同透孔２４を通して光透過性の装飾パネル２５を明るく照らし出す。左縦枠２１には扉枠支持フレーム７に設けられた鍵穴２７を（図１参照
）露出させるための台形の大きな切り欠き２８が形成されている。扉枠１５の背面側には同窓穴１６の全周囲に渡って同窓穴１６を包囲する金属製の補強フレーム２９が配設されている。
【００１０】
扉枠１５の下方には上部カバープレート３５が装着されている。上部カバープレート３５はパチンコ機本体４に対して図示しないヒンジ金具によって片持ち支持され同パチンコ機本体４に対して開閉可能とされている。上部カバープレート３５は前方に突出形成され、上面に上受け皿３６が載置されている。上部カバープレート３５の下方には下部カバープレート３７が配設されている。下部カバープレート３７はパチンコ機本体４に対して固着されている。下部カバープレート３７は前方に突出形成され、上面に下受け皿３８が載置されている。下受け皿３８は主として上受け皿３６に貯留しきれなかった遊技球を貯留するものである。下部カバープレート３７には灰皿４０が装着されている。下受け皿３８の右側方には操作ハンドル３９が取付けられている。
【００１１】
次にリミットスイッチ３０及び同リミットスイッチ３０周辺の構成について各実施の態毎に詳述する。
（実施の形態１）
図２及び図３に示すように、右端面４ａの一部を構成する前記入出力基盤３４の右側方には取り付けフレーム４１が形成されている。取り付けフレーム４１には略台形に右方に突出する取り付けプレート４３が形成されている。取り付けプレート４３にはリミットスイッチ３０が取り付けプレート４３に突設された支軸ピン４５によって揺動可能に吊り下げ支持されている。支軸ピン４５の位置は若干リミットスイッチ３０の外方にずれているため、軸支された状態でリミットスイッチ３０は若干傾斜している。リミットスイッチ３０は本体３０ａと検出部としての入力レバー３０ｂとを備えており、入力レバー３０ｂが押動されて入切ボタン３０ｃを押す。本実施の形態では入切ボタン３０ｃが押されていない状態で検出信号が出力されるようになっている。リミットスイッチ３０はレバー３０ｂが取り付けフレーム４１側を向くように配置されている。
リミットスイッチ３０と取り付けフレーム４１の間にはピン４７に支持されたコイルばね４９が配設されている。コイルばね４９は取り付けフレーム４１に形成された付勢プレート５０に対してリミットスイッチ３０を反時計回り方向（外方向）に付勢する。
【００１２】
このような構成の実施の形態１のパチンコ機の作用について説明する。
図１のように扉枠１５がパチンコ機本体４に対し開放状態にあり、パチンコ機本体４は外枠１に対し開放状態にあるとする。このときリミットスイッチ３０は図７（ａ）に示す状態とされる。ここでまず扉枠１５を回動させて遊技面９を覆うように遊技盤５に装着する。次いでパチンコ機本体４をヒンジ金具６の回動軸６ａを中心に外枠１方向に回動させる。すなわち、パチンコ機本体４の右端面４ａが図１の状態から約９０度回動して左部枠板１ｄの内面に接近していくこととなる。
パチンコ機本体４が外枠１に接近すると、まずリミットスイッチの本体３０ａから左部枠板１ｄの内面に当接し、本体３０ａは押動されて時計回り方向（内方向）に回動を始める。すると入力レバー３０ｂがコイルばね４９に押し当てられて入切ボタン３０ｃが押動される。この状態ではまだパチンコ機本体４は外枠１に完全に装着されておらず図７（ｂ）に示すように本体３０ａは傾斜している。
更に、パチンコ機本体４を閉塞方向に回動させていくと、コイルばね４９の付勢力に抗して本体３０ａ自体も時計回り方向（内方向）に回動を始める。そして、パチンコ機本体４が外枠１に完全装着された状態で本体３０ａは図７（ｃ）に示すようにほぼ垂直に配置される。
ついで、再びパチンコ機本体４を開放させていくと上記とは逆に図７（ｃ）の状態から図７（ｂ）の状態となり図７（ａ）の状態となる。
【００１３】
このように構成することにより本実施の形態１は次のような効果を奏する。
（１）図７（ｃ）のようにパチンコ機本体４が外枠１に装着された状態で本体３０ａはコイルばね４９によって弾性をもって保持されており左右に揺動することについて若干の余裕を持っている。従って、リミットスイッチ３０にはコイルばね４９の付勢力以上の過負荷がかからずリミットスイッチ３０の過負荷による故障が生じにくい。
（２）パチンコ機本体４と左部枠板１ｄの接近に伴ってコイルばね４９の付勢力に抗しながらリミットスイッチ３０は時計回り方向（内方向）に回動する。この回動（揺動）できる範囲においてリミットスイッチ３０の配置位置の調整に裕度ができるため、リミットスイッチ３０の配置作業にそれほどの技量を必要としなくてよくなる。
（３）リミットスイッチ３０が揺動するため入力レバー３０ｂを取り付けフレーム４１側に向いて配置させることができ、例えばパチンコ機本体４の運搬中に入力レバー３０ｂに誤って接触してしまいリミットスイッチ３０が故障するという不具合が生じにくい。もちろん入力レバー３０ｂを外向きに配置することも可能である。
（４）リミットスイッチ３０が揺動することに加え、コイルばね４９が弾性を持っているため左部枠板１ｄの経年使用による寸法誤差にも対応することができる。
（５）リミットスイッチ３０は直接左部枠板１ｄの内面に当接するため特にレバー３０ｂを押動して入切ボタン３０ｃを入り切りするための当接プレートのような別部材は不要となりコストの削減に寄与する。
（６）取り付けフレーム４１自体が若干左右に撓むという可撓性を有しているため、コイルばね４９に加えてさらにリミットスイッチ３０に負荷がかかりにくくなっている。
（７）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
（８）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
【００１４】
（実施の形態２）
図２及び図５に示すように、右端面４ａの一部を構成する前記入出力基盤３４の右側方には取り付けフレーム４１が形成されている。取り付けフレーム４１には略台形に右方に突出する取り付けプレート４３が形成されている。取り付けプレート４３にはリミットスイッチ３０が取り付けプレート４３に突設された支軸ピン５１によって揺動可能に吊り下げ支持されている。支軸ピン５１の位置は若干リミットスイッチ３０の外方にずれているため、軸支された状態でリミットスイッチ３０は若干傾斜している。リミットスイッチ３０は本体３０ａと検出部としての入力レバー５３とを備えており、入力レバー５３が押動されて入切ボタン３０ｃを押す。本実施の形態では入切ボタン３０ｃが押されていない状態で検出信号が出力されるようになっている。リミットスイッチ３０は入力レバー５３が取り付けフレーム４１側を向くように配置されている。入力レバー５３は先端が途中で屈曲されており、斜め上方に延出する延出部５４が形成されている。取り付けフレーム４１には付勢プレート５５が形成され、リミットスイッチ３０が時計回り方向（内方向）に回動すると延出部５４先端がこの付勢プレート５５に当接する。
【００１５】
このような構成の実施の形態２のパチンコ機の作用について説明する。
図１のように扉枠１５がパチンコ機本体４に対し開放状態にあり、パチンコ機本体４は外枠１に対し開放状態にあるとする。このときリミットスイッチ３０は図８（ａ）に示す状態とされる。ここでまず扉枠１５を回動させて遊技面９を覆うように遊技盤５に装着する。次いでパチンコ機本体４をヒンジ金具６の回動軸６ａを中心に外枠１方向に回動させる。すなわち、パチンコ機本体４の右端面４ａが図１の状態から約９０度回動して左部枠板１ｄの内面に接近していくこととなる。
パチンコ機本体４が外枠１に接近すると、まずリミットスイッチの本体３０ａから左部枠板１ｄの内面に当接し、本体３０ａは押動されて時計回り方向（内方向）に回動を始め入力レバー５３の延出部５４が付勢プレート５５に当接させられる。本体３０ａの回動とともに入力レバー５３は相対的に付勢プレート５５に押動されることとなり入切ボタン３０ｃが押動される。
更に、パチンコ機本体４を閉塞方向に回動させていくと、延出部５４の弾性に抗して本体３０ａ自体も時計回り方向（内方向）に回動を始める。そして、パチンコ機本体４が外枠１に完全装着された状態で本体３０ａは図８（ｂ）に示すようにほぼ垂直に配置される。
ついで、再びパチンコ機本体４を開放させていくと上記とは逆に図８（ｂ）の状態から図８（ａ）の状態となる。
【００１６】
このように構成することにより本実施の形態２は次のような効果を奏する。
（１）図８（ｂ）のようにパチンコ機本体４が外枠１に装着された状態で本体３０ａは延出部５４の弾性によって保持されており左右に揺動することについて若干の余裕を持っている。従って、リミットスイッチ３０にはコイルばね４９の付勢力以上の過負荷がかからずリミットスイッチ３０の過負荷による故障が生じにくい。
（２）パチンコ機本体４と左部枠板１ｄの接近に伴って延出部５４の弾性に抗しながらリミットスイッチ３０は時計回り方向（内方向）に回動する。この回動（揺動）できる範囲においてリミットスイッチ３０の配置位置の調整に裕度ができるため、リミットスイッチ３０の配置作業にそれほどの技量を必要としなくてよくなる。
（３）リミットスイッチ３０が揺動するため入力レバー５３を取り付けフレーム４１側に向いて配置させることができ、例えばパチンコ機本体４の運搬中に入力レバー５３に誤って接触してしまいリミットスイッチ３０が故障するという不具合が生じにくい。もちろん入力レバー３０ｂを外向きに配置することも可能である。
（４）リミットスイッチ３０が揺動することに加え、延出部５４が弾性を持っているため左部枠板１ｄの経年使用による寸法誤差にも対応することができる。
（５）リミットスイッチ３０は直接左部枠板１ｄの内面に当接するため特に入力レバー５３を押動して入切ボタン３０ｃを入り切りするための当接プレートのような別部材は不要となりコストの削減に寄与する。
（６）取り付けフレーム４１自体が若干左右に撓むという可撓性を有しているため、延出部５４の弾性に加えてさらにリミットスイッチ３０に負荷がかかりにくくなっている。
（７）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
（８）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
【００１７】
（実施の形態３）
図２及び図９に示すように、右端面４ａの一部を構成する前記入出力基盤３４の右側方には取り付けフレーム４１が形成されている。取り付けフレーム４１には略台形に右方に突出する取り付けプレート４３が形成されている。取り付けプレート４３にはケース５７とともにリミットスイッチ３０が装着されている。図１０に示すように、ケース５７は固定ネジ５８を下方位置に配設された取り付け孔５７ａから通して取り付けプレート４３に対して回動可能に装着されている。固定ねじ５８上方には長孔５９が形成されている。長孔５９には取り付けプレート４３より突設された規制ねじ６０が配置され、ケース５７の回動が規制されている。その結果、ケース５７は固定ネジ５８を回動中心として揺動可能とされる。
図１０、図１１（ａ）〜図１１（ｃ）に示すように、固定ねじ５８及び長孔５９間には左方に開放された第１の収納部６１が形成されている。第１の収納部６１には緩衝部材としての板バネ６３が収納されている。第１の収納部６１の右方には第２の収納部６２が形成されている。第２の収納部６２は右方に開放されており、同第２の収納部６２内にはリミットスイッチ３０が収納されている。リミットスイッチ３０は第２の収納部６２内に固定された本体３０ａと検出部としてのレバー３０ｂと入切ボタン３０ｃを備えている。入力レバー３０ｂが押動されて入切ボタン３０ｃを押す。本実施の形態では入切ボタン３０ｃが押されていない状態で検出信号が出力されるようになっている。レバー３０ｂは第２の収納部６２から若干右方に突出されている。
【００１８】
図１１（ａ）〜図１１（ｃ）に示すように、板バネ６３は取り付けプレート４３の左方に突設された付勢プレート６４に対してケース５７を時計回り方向（右方）に付勢しており、図１１（ａ）及び図１１（ｂ）に示すように付勢状態でケース５７は若干右方に傾斜されている。一方、図２のようにパチンコ機本体４が外枠１内に収納された状態では、図１１（ｃ）に示すように左部枠板１ｄの上方寄り内面によって押動された状態となり、レバー３０ｂが押圧状態とされるとともにリミットスイッチ３０もろともケース５７が板バネ６３の付勢力に抗して反時計回り方向（左方）に回動する。
【００１９】
このような構成の実施の形態３のパチンコ機の作用について説明する。
図１のように扉枠１５がパチンコ機本体４に対し開放状態にあり、パチンコ機本体４は外枠１に対し開放状態にあるとする。このときリミットスイッチ３０は図１１（ａ）に示す状態とされる。ここでまず扉枠１５を回動させて遊技面９を覆うように遊技盤５に装着する。次いでパチンコ機本体４をヒンジ金具６の回動軸６ａを中心に外枠１方向に回動させる。すなわち、パチンコ機本体４の右端面４ａが図１の状態から約９０度回動して左部枠板１ｄの内面に接近していくこととなる。パチンコ機本体４が外枠１に接近すると、まずリミットスイッチ３０のレバー３０ｂから左部枠板１ｄの内面に当接し、レバー３０ｂは押動されて本体３０ａ方向に回動される（図１１（ｂ）の状態）。さらに、レバー３０ｂが押動されるとリミットスイッチ３０もろともケース５７が板バネ６３の付勢力に抗し
て反時計回り方向（左方）に回動され、パチンコ機本体４が外枠１に装着された状態でリミットスイッチ３０は図１１（ｃ）に示す状態となる。図１１（ｃ）に示すようにパチンコ機本体４が外枠１に装着された状態で規制ねじ６０は長孔５９内の中央付近に位置しており、ケース５７は左方向へ揺動することについて若干の余裕を持っている。
ついで、再びパチンコ機本体４を開放させていくと上記とは逆に図１１（ｃ）の状態から図１１（ｂ）の状態となり図１１（ａ）の状態となる。尚、本実施の形態１では開放によってレバー３０ｂへの押圧が解除されることで入力される。
【００２０】
このように構成することにより本実施の形態３は次のような効果を奏する。
（１）図１１（ｃ）のようにパチンコ機本体４が外枠１に装着された状態で規制ねじ６０は長孔５９内の中央付近に位置しており、ケース５７は左方向へ揺動することについて若干の余裕を持っている。従って、リミットスイッチ３０には板バネ６３の付勢力以上の過負荷がかからずリミットスイッチ３０の過負荷による故障が生じにくい。
（２）リミットスイッチ３０が収納されているケース５７は左部枠板１ｄの内面による押動と板バネ６３の付勢力によって長孔５９の分だけ左右に揺動するようになっている。すなわちケース５７は固定されておらずリミットスイッチ３０の配置位置の調整に裕度があるため、リミットスイッチ３０の配置作業にそれほどの技量を必要としなくてよくなる。
（３）リミットスイッチ３０のレバー３０ｂは直接左部枠板１ｄの内面に当接するため特にレバー３０ｂの入り切りのための当接プレートのような別部材は不要となりコストの削減に寄与する。
（４）リミットスイッチ３０が揺動することに加え、板バネ６３が弾性を持っているため左部枠板１ｄの経年使用による寸法誤差にも対応することができる。
（５）取り付けフレーム４１自体が若干左右に撓むという可撓性を有しているため、ケース５７が揺動することと併せてリミットスイッチ３０に負荷がかかりにくくなっている。
（６）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０に非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
（７）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
（８）リミットスイッチ３０が揺動するため入力レバー３０ｂを取り付けフレーム４１側に向いて配置させることができ、例えばパチンコ機本体４の運搬中に入力レバー３０ｂに誤って接触してしまいリミットスイッチ３０が故障するという不具合が生じにくい。
【００２１】
（実施の形態４）
図２及び図１２に示すように、右端面４ａの一部を構成する前記入出力基盤３４の右側方には取り付けフレーム４１が形成されている。取り付けフレーム４１には略台形に右方に突出する取り付けプレート４３が形成されている。取り付けプレート４３にはケース６５とともにリミットスイッチ３０が装着されている。図１２に示すように、ケース６５は下方位置に配設された固定ネジ６６によって取り付けプレート４３に対して回動可能に装着されている。固定ねじ６６上方には長孔６７が形成されている。長孔６７には取り付けプレート４３より突設された規制ねじ６８が配置され、ケース６５の回動が規制されている。その結果、ケース６５は固定ネジ６６を回動中心として揺動可能とされる。
図１２、図１３（ａ）及び図１３（ｂ）に示すように、固定ねじ６６及び長孔６７間には左方に開放された収納部６９が形成されている。収納部６９内にはリミットスイッチ３０が収納されている。リミットスイッチ３０は収納部６９内に固定された本体３０ａと検出部としての入力レバー７１とを備えており、入力レバー６６が押動されて入切ボタン３０ｃを押す。本実施の形態では入切ボタン３０ｃが押されていない状態で検出信号が出力されるようになっている。
リミットスイッチ３０は入力レバー７１が取り付けフレーム４１側を向くように配置されている。入力レバー７１は先端が途中で屈曲されており、斜め上方に延出する延出部７２が形成されている。取り付けフレーム４１には付勢プレート７３が形成されている。延出部７２先端は付勢プレート７３に当接してケース６５を図上時計回り方向に僅かに付勢している。前記固定ネジ６６の位置は若干ケース６５の左外方にずれているため重量が右方に偏り、僅かな付勢力でもケース６５は右方に傾斜することとなる。
【００２２】
このような構成の実施の形態４のパチンコ機の作用について説明する。
図１のように扉枠１５がパチンコ機本体４に対し開放状態にあり、パチンコ機本体４は外枠１に対し開放状態にあるとする。このときリミットスイッチ３０は図１３（ａ）に示す状態とされる。ここでまず扉枠１５を回動させて遊技面９を覆うように遊技盤５に装着する。次いでパチンコ機本体４をヒンジ金具６の回動軸６ａを中心に外枠１方向に回動させる。すなわち、パチンコ機本体４の右端面４ａが図１の状態から約９０度回動して左部枠板１ｄの内面に接近していくこととなる。
パチンコ機本体４が外枠１に接近すると、まずケース６５から左部枠板１ｄの内面に当接し、リミットスイッチ３０はケース６５とともに押動されて反時計回り方向（内方向）に回動を始める。入力レバー７１がこの押圧力に屈して入切ボタン３０ｃが押動される。
更に、パチンコ機本体４を閉塞方向に回動させていくと、延出部７２も押圧力に屈してパチンコ機本体４が外枠１に完全装着された状態で本体３０ａは図１３
（ｂ）に示すようにほぼ垂直に配置される。
ついで、再びパチンコ機本体４を開放させていくと上記とは逆に図１３（ｂ）の状態から図１３（ａ）の状態となる。
【００２３】
このように構成することにより本実施の形態４は次のような効果を奏する。
（１）図１３（ｂ）のようにパチンコ機本体４が外枠１に装着された状態で本体３０ａは延出部７２の弾性によって保持されており左右に揺動することについて若干の余裕を持っている。従って、リミットスイッチ３０には延出部７２の弾性以上の過負荷がかからずリミットスイッチ３０の過負荷による故障が生じにくい。
（２）パチンコ機本体４と左部枠板１ｄの接近に伴って延出部７２の弾性に抗しながらリミットスイッチ３０は反時計回り方向（内方向）に回動する。この回動（揺動）できる範囲においてリミットスイッチ３０の配置位置の調整に裕度ができるため、リミットスイッチ３０の配置作業にそれほどの技量を必要としなくてよくなる。
（３）リミットスイッチ３０が揺動するため入力レバー６６を取り付けフレーム４１側に向いて配置させることができ、例えばパチンコ機本体４の運搬中に入力レバー７１に誤って接触してしまいリミットスイッチ３０が故障するという不具合が生じにくい。
（４）リミットスイッチ３０が揺動することに加え、延出部７２が弾性を持っているため左部枠板１ｄの経年使用による寸法誤差にも対応することができる。
（５）リミットスイッチ３０は直接左部枠板１ｄの内面に当接するため特に入力レバー７１を押動して入切ボタン３０ｃを入り切りするための当接プレートのような別部材は不要となりコストの削減に寄与する。
（６）取り付けフレーム４１自体が若干左右に撓むという可撓性を有しているため、延出部７２の弾性に加えてさらにリミットスイッチ３０に負荷がかかりにくくなっている。
（７）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
（８）パチンコ機本体４が外枠１に対して開放されてもリミットスイッチ３０の配設位置がパチンコ機本体４の右端面４ａの回動軸６ａ側にありパチンコ機本体４を開放しても隙間はあまり大きくならないため不正遊技をたくらむ者がこのリミットスイッチ３０非常に触りにくくなる。また、パチンコ機本体４の開放に伴ってパチンコ機本体４の切り欠き２８側が前方に張り出すためこれが邪魔となるとともに右端面４ａは逆に回動して背後に隠れていくためますます不正が行いにくい。
【００２４】
尚、この発明は、次のように変更して具体化することも可能である。
・上記実施の形態１〜４ではリミットスイッチ３０は入出力基盤３４の取り付けフレーム４１に装着するようになっていたが、右端面４ａであれば上下方向にずれた位置に配置することは自由である。
・上記実施の形態１〜４ではリミットスイッチ３０側は左部枠板１ｄの内面と直接当接するようになっていたが、左部枠板１ｄの内面に当接プレートのような別部材を介していてもよい。
・左部枠板１ｄの内面側にリミットスイッチ３０を配置しても構わない。
・リミットスイッチ３０以外の他の検出手段、例えば光電センサ、近接センサ、マイクロスイッチ等であってもよい。
【００２５】
（実施の形態５）
図１４及び図１５に示すように、前記扉枠支持フレーム７の上梁２０であってランプ８とヒンジ金具６の間には前後方向に連通した透孔７５が形成されている。透孔７５内にはリミットスイッチ３０が配設されている。リミットスイッチ３０の本体３０ａはその中央において透孔７５内部の天井面７５ａから吊り下げボルト７６によって回動自在に吊り下げ支持されている。図１５及び図１６に示すように、本体３０ａと天井面７５ａ及び本体３０ａと吊り下げボルト７６のヘッド７６ａとの間にはそれぞれワッシャ７７が配設されている。図１５〜図１９に示すように、リミットスイッチ３０は透孔７５内で回動（揺動）できるように透孔７５の幅より狭く形成され、リミットスイッチ３０の本体３０ａが透孔７５内に完全に収納されるよう前後長さは上梁１９の幅（つまり透孔７５の奥行き）より若干短く形成されている。図１８に示すように本体３０ａが上梁１９からはみ出ずに収まった状態で入力レバー３０ｂは入切ボタン３０ｃの弾性で透孔７５から前方にはみ出るような構造とされている。
このような構成の実施の形態５のパチンコ機の作用について説明する。
パチンコ機本体４と扉枠１５を外枠１に対して完全に閉塞した状態（つまり、通常の遊技可能状態）においては図１７に示すように、リミットスイッチ３０のレバー３０ｂは扉枠１５と外枠１に挟持されて透孔７５内に押し込まれている。本実施の形態ではこのレバー３０ｂが本体３０ａ方向に押し込まれた状態はリミットスイッチ３０が入力されていない非検出の状態とされる。
まず、扉枠１５のみを開放させると図１８に示すように開放にともないリミットスイッチ３０のレバー３０ｂは入切ボタン３０ｃの弾性によって透孔７５から飛びだし、入切ボタン３０ｃへの押動作用が解消されるため扉枠１５が開放されたことが検出される。
また、パチンコ機本体４を開放させると扉枠１５も同時に開放することとなり、図１９に示すようにリミットスイッチ３０のレバー３０ｂは透孔７５内に配置されたままではあるが、透孔７５の後方側が開放されるため入切ボタン３０ｃの弾性によって本体３０ａが揺動させられ入切ボタン３０ｃへの押動作用が解消されるためパチンコ機本体４（及び扉枠１５）が開放されたことが検出される。
【００２６】
このように構成することにより本実施の形態５は次のような効果を奏する。
（１）リミットスイッチ３０は吊り下げ軸７６を中心として揺動可能としたためパチンコ機本体４側の上梁１９の透孔７５内に配置させることで扉枠１５あるいはパチンコ機本体４の開閉状態を検出することができることとなり、扉枠１５や外枠１にリミットスイッチ３０を装着しなくともよくなる。
（２）図１６のようにパチンコ機本体４及び扉枠１５が外枠１に装着された状態でリミットスイッチ３０は完全に透孔７５内に収納状態となる。従って、パチンコ機本体４と扉枠１５を外枠１に対して完全に閉塞した状態ではリミットスイッチ３０に過負荷のかかることがなく故障が生じにくい。
（３）リミットスイッチ３０の本体３０ａやレバー３０ｂは直接扉枠１５や外枠１に当接するため特にレバー３０ｂの入り切りのための当接プレートのような別部材は不要となりコストの削減に寄与する。
（４）リミットスイッチ３０はパチンコ機本体４側にあるため、直接入出力基盤３４から配線することができるとともに、入出力基盤３４に隣接して配設されているため、リミットスイッチ３０への電源供給を簡単かつ安価に実現することができる。
尚、実施の形態５は、次のように変更して具体化することも可能である。
・実施の形態５ではリミットスイッチ３０を吊り下げ支持したが要はリミットスイッチ３０が透孔７５内で扉枠１５及び外枠１と当接して揺動すればよいのであるからその装着方法は問わない。
・実施の形態５では入切ボタン３０ｃの弾性を利用して揺動させていたが、別途ばねを使用してリミットスイッチ３０を揺動させるようにしてもよい。
・パチンコ機本体４側の上梁２０以外の位置に配設してもよい。
・上記各実施の形態では押圧により入り切りされるリミットスイッチ３０であったが、これ以外の他の検出手段、例えば光電センサ、近接センサ、マイクロスイッチ等であってもよい。
【００２７】
（実施の形態６）
図２０及び図２１に示すように、本発明をスロットマシンに適用してもよい。本実施の形態のスロットマシン８１は遊技台としての前扉８２の裏面にリール装置８３が装着された機種である。前扉８２は支持枠体としての外枠８４に対して回動軸８５を回動中心として回動する。前扉８２の前面には遊技面８６が形成されている。端面となるリール装置８３の側方には例えば上記図５に示すセンサ３０が配設されている。前扉８２が本体８５前面を封塞した状態において、外枠８４の回動軸８５側内面８４ａがセンサ３０の図示しない入力レバーと当接する。前扉８２が開放されると外枠８４の内面８４ａのセンサ３０に対する押圧は解除される。
このように構成すると、
（１）リミットスイッチ３０の配設位置が回動軸８５側にあるため外枠８４を開放しても隙間はあまり大きくならないため上記と同様不正遊技をたくらむ者がこのリミットスイッチ３０に非常に触りにくくなる。また、外枠８４の開放に伴って前扉８２が前方に張り出すためこれが邪魔となるとともにリミットスイッチ３０側（右端面）は逆に回動して背後に隠れていくためますます不正が行いにくい。
（２）リミットスイッチ３０のレバーは直接回動軸８５が外枠８４の内面８４ａに当接するため特にレバー入り切りのための当接プレートのような別部材は不要となりコストの削減に寄与する。
（３）上記同様リミットスイッチ３０自体が揺動するためリミットスイッチ３０にかかる負荷が軽減される。
・その他、スロットマシン８１には図３や図９の各リミットスイッチ３０が応用できる。緩衝部材としてのコイルばね４９の他に復帰力の強いスポンジのようなものを使用してもよい。また、内面８４ａに当接プレートのような別部材を介していてもよい。
・上記スロットマシン８１ではリミットスイッチ３０はリール装置８３の側面（端面）に装着されていた。しかし、リール装置８３が外枠８４側にあるタイプのスロットマシン８１では取り付けプレートを前扉８２の裏面に固着し、この取り付けプレートを前扉８２の端面としてにリミットスイッチ３０を装着することでリミットスイッチ３０のレバーを外枠８４の内面８４ａに当接させるようにしてもよい。
・本発明はパチンコ機以外にもアレパチ、アレンジボール等の遊技機にも応用可能である等その他、本発明の趣旨を逸脱しない態様で実施することは自由である。
【００２８】
上記実施の形態から把握できる本発明のその他の技術的思想について下記に付記として説明する。
（１）少なくとも支持枠体と、同支持枠体前面を覆う遊技者が対面して遊技を行う遊技面が形成された遊技台とを備え、同支持枠体及び遊技台を含め複数の構成部材を開閉可能あるいは脱着可能に組み合わせ同複数の構成部材間の開閉あるいは脱着状態を検出する検出手段を配設するようにした遊技機において、
前記検出手段を検出部への押圧によって前記開閉あるいは脱着状態を検出するようにするとともに、同検出手段を前記構成部材間に揺動可能に支持し、同両構成部材を接近させることにより同検出部もろとも同検出手段を挟持して同検出手段を押動するようにしたことを特徴とする遊技機。
（２）少なくとも支持枠体と、同支持枠体に対して開閉可能に支持され遊技者が対面して遊技を行う遊技面が形成された遊技台とを備えた遊技機において、
前記遊技台を前記支持枠体に対して閉塞した状態で同遊技台と同遊技台の開閉支軸側端面が正対する同支持枠体の内面との間に同遊技台の同支持枠体に対する開閉状態を検出する前記検出手段を配設したことを特徴とする請求項１又は付記１に記載の遊技機。ここに、遊技台は上記実施の形態のパチンコ機本体４あるいは前扉８２等を意味する。
（３）支持枠体と、同支持枠体に対して開閉可能に支持され遊技面が形成された前扉と、同支持枠体あるいは前扉のいずれかに配設されたリール装置とを備え、同支持枠体及び前扉を含め複数の構成部材を開閉可能あるいは脱着可能に組み合わせ同複数の構成部材間の開閉あるいは着脱に伴いＯＮ／ＯＦＦされる検出手段を設けた遊技機において、
前記検出手段を前記構成部材間に揺動可能に支持するとともに、同検出手段が前記各構成部材間の接近・離間に伴い揺動してＯＮ／ＯＦＦされるようにした
（４）支持枠体と、同支持枠体に対して開閉可能に支持され遊技面が形成された前扉と、同支持枠体あるいは前扉のいずれかに配設されたリール装置とを備え、同支持枠体及び前扉を含め複数の構成部材を開閉可能あるいは脱着可能に組み合わせ同複数の構成部材間に開閉あるいは脱着状態を検出するセンサを配設するようにした遊技機において、
前記検出手段を検出部への押圧によって前記開閉あるいは脱着状態を検出するようにするとともに、同検出手段を検出を行う前記構成部材間に揺動可能に支持し、同両構成部材を接近させることにより同検出部もろとも同検出手段を挟持して同検出手段を押動するようにしたことを特徴とする遊技機。
（５）前記構成部材間、検出手段又は検出部のいずれかに緩衝部材を配設し、両構成部材の接近にともなって同緩衝部材の緩衝作用を受けながら同検出部が押圧されるようにしたことを特徴とする請求項１、付記１〜４のいずれかに記載の遊技機。
（６）前記検出手段を３層に重複配置された構成部材のうち、中央に配設された構成部材に形成された透孔内に揺動可能に配設し、前後の構成部材を閉塞した状態で両側から検出手段が挟持されて検出部が押圧されるとともにいずれか構成部材を開放した場合に検出部の押圧が解除されるようにしたことを特徴とする請求項１、付記１〜５のいずれかに記載の遊技機。このように構成するとこれら３層の構成部材の開閉状態を検出することが可能となる。
【符号の説明】
【００２９】
１…支持枠体としての外枠、１ｄ…左部枠板、４…遊技台としてのパチンコ機本体、４ａ…開閉支軸側端面としての右端面、５…遊技盤、９…遊技面、３０…検出手段としてのリミットスイッチ。
【図１】
2011025077.tif 000003
【図２】
2011025077.tif 000004
【図３】
2011025077.tif 000005
【図４】
2011025077.tif 000006
【図５】
2011025077.tif 000007
【図６】
2011025077.tif 000008
【図７】
2011025077.tif 000009
【図８】
2011025077.tif 000010
【図９】
2011025077.tif 000011
【図１０】
2011025077.tif 000012
【図１１】
2011025077.tif 000013
【図１２】
2011025077.tif 000014
【図１３】
2011025077.tif 000015
【図１４】
2011025077.tif 000016
【図１５】
2011025077.tif 000017
【図１６】
2011025077.tif 000018
【図１７】
2011025077.tif 000019
【図１８】
2011025077.tif 000020
【図１９】
2011025077.tif 000021
【図２０】
2011025077.tif 000022
【図２１】
2011025077.tif 000023
【図２２】
2011025077.tif 000024
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
少なくとも支持枠体と、同支持枠体前面を覆う遊技者が対面して遊技を行う遊技面が形成された遊技台とを備え、同支持枠体及び遊技台を含め複数の構成部材を開閉可能あるいは脱着可能に組み合わせ同複数の構成部材間の開閉あるいは着脱に伴いＯＮ／ＯＦＦされる検出手段を設けた遊技機において、
前記検出手段が前記各構成部材間の接近・離間に伴いＯＮ／ＯＦＦされるようにしたことを特徴とする遊技機。